(57)【要約】【課題】全てのスポットにおいて検体などのサンプル移動量を均一にし、測定精度を向上できるハイブリダイゼーション用のカートリッジ及び装置、並びにハイブリダイゼーション方法を提供すること。【解決手段】複数の貫通孔を有するバイオチップと、前記バイオチップの両側に配置された、前記バイオチップの貫通孔部面積の１〜１．５倍の断面積を有するサンプル液収納部と、必要に応じて、前記サンプル液収納部の両外側に配置された半透膜とを有する、ハイブリダイゼーション用カートリッジ。【選択図】なし【特許請求の範囲】
【請求項１】
複数の貫通孔を有するバイオチップと、
前記バイオチップの両側に配置された、前記バイオチップの貫通孔部面積の１〜１．５倍の断面積を有するサンプル液収納部と、
必要に応じて、前記サンプル液収納部の両外側に配置された半透膜と
を有する、ハイブリダイゼーション用カートリッジ。
【請求項２】
複数の貫通孔を有するバイオチップと、
前記バイオチップの両側に配置された、前記バイオチップの貫通孔部面積の１〜１．５倍の断面積を有するサンプル液収納部と、
前記サンプル液収納部の両外側に配置された半透膜と、
前記半透膜の両外側に配置されたバッファー液収容部と、
前記バッファー液収容部内に配置された一対の電極と
を有する、ハイブリダイゼーション装置。
【請求項３】
請求項２記載の装置において、一対の電極間に電圧を印加し、一方のサンプル液収納部から他方のサンプル収納部へ向かって検体を移動させることにより、バイオチップの貫通孔中に存在する生体関連物質と検体のハイブリダイゼーションを行う方法。
【発明の詳細な説明】
【技術分野】
【０００１】
本発明は、ハイブリダイゼーション用カートリッジ、ハイブリダイゼーション装置及びハイブリダイゼーションを行う方法に関する。
【背景技術】
【０００２】
近年、病気の診断、原因の解明のために、ＤＮＡマイクロアレイやＤＮＡチップ等と呼ばれるバイオチップが開発されている。このようなバイオチップの製法としては、シリコン等の基盤上にフォトグラフィー技術により短鎖の核酸を直接固相合成していく方法（特許文献１及び２）や、化学的又は物理的に修飾した基盤上に核酸等の生体関連物質プローブ（以下、「プローブ」と略す。）をスポッティングして固定化する方法（非特許文献１）が知られている。
【０００３】
また、多数の中空繊維を束ねて樹脂で固定化し、その中空繊維の中空部にゲル状物と共にプローブを導入した後、この固定化物を中空繊維に直交する方向に切断して薄片化する方法も知られている（特許文献３）。このタイプのバイオチップは、チップの表面部だけでなく厚み方向においてもプローブを保持可能であるので、多量のプローブを導入可能であり、高い検出感度を得ることが出来る。
【０００４】
しかしながら、このようなプローブをゲルに固定化したバイオチップは、ハイブリダイゼーションに時間がかかり、効率良く診断等を行うことができなかった。そこで、ハイブリダイゼーションの効率を高めるために、検体のゲル中の移動速度を高める方法として、電気泳動による方法が開発されている（特許文献４〜６）。
【先行技術文献】
【特許文献】
【０００５】
【特許文献１】米国特許第５，４４５，９３４号明細書
【特許文献２】米国特許第５，７７４，３０５号明細書
【特許文献３】特開２０００−２７０８７８号公報
【特許文献４】特開２０００−２７０８７７号公報
【特許文献５】ＷＯ２００５／０３１３３５
【特許文献６】特許第３８２９４９１号公報
【非特許文献】
【０００６】
【非特許文献１】Ｓｃｉｅｎｃｅ，１９９５年，第２７０号，ｐ．４６７−４７０
【発明の概要】
【発明が解決しようとする課題】
【０００７】
しかしながら、電気泳動により強制的にＤＮＡ等を含む検体を移動させる場合、溶液内での自然な拡散は抑制され、バイオチップの最外周スポット部分より外側にある検体は電場中で最外周部分を優先的に通過するようになり、最外周部分の検体通過量が内周部スポットよりも多くなるため、ハイブリダイゼーション反応量に最外周と内周で斑が生じ、チップの測定精度が下がってしまう場合があることが判明した。
【０００８】
そこで、本発明は、全てのスポットにおいて検体などのサンプル移動量を均一にし、測定精度を向上できるハイブリダイゼーション用のカートリッジ及び装置、並びにハイブリダイゼーション方法を提供することを主な目的とする。
【課題を解決するための手段】
【０００９】
本発明者は鋭意研究を重ねた結果、バイオチップの貫通孔部面積とサンプル液収納部の断面積の比を特定の値に設定することにより、上記目的が達成できることを見出し、本発明を完成するに至った。
【００１０】
すなわち、本発明は、複数の貫通孔を有するバイオチップと、前記バイオチップの両側に配置された、前記バイオチップの貫通孔部面積の１〜１．５倍の断面積を有するサンプル液収納部と、必要に応じて、前記サンプル液収納部の両外側に配置された半透膜とを有する、ハイブリダイゼーション用カートリッジ等に関する。
【発明の効果】
【００１１】
本発明によれば、バイオチップの最外周スポットと内周スポットとのハイブリダイゼーション反応斑を低減（抑制）できる、精度よい測定が可能なハイブリダイゼーション用カートリッジ、装置及び方法を提供することができる。
【図面の簡単な説明】
【００１２】
【図１】ハイブリダイゼーションカートリッジの断面図（模式図）である。
【図２】バイオチップの一例を示す模式図である。
【図３】バイオチップおよびサンプル液収納部の一例を示す模式図である。
【図４】電気泳動ハイブリダイゼーション装置の断面図（模式図）である。
【発明を実施するための形態】
【００１３】
（１）ハイブリダイゼーション用カートリッジ
まず、図１に沿って、本発明のハイブリダイゼーション用カートリッジの構造について説明する。図１は、ハイブリダイゼーションカートリッジの一例を示す、模式的な縦断面図である。
【００１４】
本発明のハイブリダイゼーション用カートリッジは、バイオチップ１の両側にサンプル液収納部３および４が配置され、サンプル液収納部はサンプル液収納部スペーサー５により仕切られた構造となっている。更に、必要に応じて、サンプル液収納部及びサンプル液収納部スペーサーの両外側に半透膜６，７が配置された構成をとることができる。
【００１５】
（１−１）バイオチップ
バイオチップ１は板状物である基板９に、一方の表面から他方の表面に向かって貫通する多数の貫通孔２が形成された構造を有している。
【００１６】
基板９の形状（前記表面の形状）は限定されず、例えば、正方形、長方形、台形、円、楕円、三角形、多角形等、種々の形状を取ることができる。取り扱い易さから、正方形、長方形又は台形が好ましい。
【００１７】
基板９の大きさも限定されず、測定機器、貫通孔の大きさや数等に応じて適宜選択することができる。例えば、基板の表面の形状が正方形又は長方形の場合、各辺の長さが数ミリ〜数センチとすればよく、５ｍｍ〜２０ｍｍが好ましい。厚さは、数十μｍ〜１ｍｍ程度とすればよく、１００μｍ〜５００μｍが好ましい。
【００１８】
基板９の材質は限定されず、例えば、ガラス、セラミック、樹脂、ゴム、金属を使用することができる。
【００１９】
貫通孔２の形態は限定されず、必要に応じて媒体を介して、検体を捕捉するための生体関連物質を保持できればよい。当該貫通孔の断面の形状も限定されず、例えば、円、楕円、正方形、長方形、台形、三角形、多角形等が挙げられる。
【００２０】
貫通孔を形成させる方法も限定されない。例えば、基板にレーザー、ドリル等の機械加工、ジェット水流等で貫通孔を形成してもよいし、一方の表面から他方の表面に貫通する孔を有する多孔質体（多孔質を有するセラミック、金属、樹脂、ガラス等）を使用することも可能である。また、複数本の中空繊維を、中空繊維の各繊維軸が同一方向となるように３次元に配列し、その配列を樹脂等で固定したものを、繊維の長手方向に交差する方向で切断することにより、貫通孔を有する基板を製造することもできる。
【００２１】
貫通孔の内壁には、検体中の遺伝子（ＤＮＡ、ＲＮＡ）、タンパク質等を捕捉するための、生体関連物質（プローブ）を固定化する。プローブの種類は限定されず、例えば、デオキシリボ核酸（ＤＮＡ）、リボ核酸（ＲＮＡ）、蛋白質、脂質、糖類等が挙げられる。これらプローブは、市販品を使用することもできるし、生細胞等から得たものを使用することもできる。
【００２２】
プローブを固定化する方法としては限定されず、貫通孔の形状や使用するプローブの種類等に応じて適宜選択することができる。貫通孔の内壁に溶剤処理やプラズマ処理を施すことにより、結合性官能基を導入し、プローブ分子を化学的に結合する方法などが挙げられる。また、貫通孔内にプローブが固定化されたゲルで充填されたチップを使用することもできる。
【００２３】
このようなプローブが固定化されたゲルが充填された複数の貫通孔を有するバイオチップの製造方法は特には限定されない。例えば、複数の中空繊維を樹脂で一体化して柱状の中空繊維配列体とし、中空繊維の中にプローブを高分子ゲルと共に注入して高分子ゲル内に固定化した後、この中空繊維配列体を中空繊維の長手方向と交叉する方向にスライスすることによって製造されたバイオチップを好適に使用することができる。このようなバイオチップは、ゲル中に固定化したプローブの乾燥抑制効果などが期待できる。
【００２４】
（１−２）サンプル液収納部
サンプル液収納部（３及び４）はバイオチップの両側に配置され、サンプル液収納部スペーサー５によって仕切られる。
【００２５】
本発明においては、バイオチップの貫通孔部面積とサンプル液がバイオチップと接触する面積（サンプル液収納部の断面積）との関係が重要である。ハイブリダイゼーション反応の精度に大きく関係するからである。
【００２６】
本明細書中において、バイオチップの「貫通孔部面積」とは、例えば図２の８（点線）に例示されるような、複数の貫通孔のうち最外周の貫通孔の接線により囲まれた部分の面積を意味する。また、「サンプル液収納部の断面積」とは、図３の１４に例示するように、サンプル液収納部スペーサー５で仕切られた、バイオチップ（貫通孔部分を含む）と接している部分の面積のことを示す。サンプル液収納部の断面積の形状は、バイオチップの全ての貫通孔が当該断面積に含まれる（すなわち、全ての貫通孔がサンプル液と接触する）限り限定されない。
【００２７】
本発明において、バイオチップの貫通孔部面積に対するサンプル液収納部の断面積を、１〜１．５倍とする。１〜１．４５倍が好ましく、１〜１．４倍がより好ましい。
【００２８】
バイオチップの両側に電場を掛けると、ＤＮＡ、ＲＮＡなどマイナス電荷を持つ検体はプラス電極側に移動する。この時、サンプル液収納部３又は４に存在する検体は電気力線に沿って、その検体分子が存在している場所に一番近い貫通孔スポットを通過すると考えられる。そのため、最外周部のスポット（貫通孔）より外側に位置する検体は最外周スポットを通過して移動すると考えられる。
【００２９】
サンプル収納部のハイブリダイゼーション反応量は時間当たりに通過するサンプル中の検体の量に依存し、通過するサンプル量が多いとハイブリダイゼーション反応量も多くなると考えられる。サンプル液収納部の断面積１４が貫通孔部面積８に対して大きくなりすぎると、最外周スポットを通過する検体が増加し、ハイブリダイゼーション反応量が増えて最外周のハイブリシグナルが内周に比べて高くなる。このような現象はバイオチップの測定精度を低下させる要因となる。
【００３０】
バイオチップの貫通孔部面積に対するサンプル液収納部の断面積を１．５倍以下とすることにより、最外周スポットのハイブリシグナル強度が内周に比べて高くなるという欠点を解消することができる。すなわち、均一なハイブリダイゼーションを達成することができ、チップの高い精度を得ることができる。一方、１倍以上とすることにより、最外周スポットがパッキンによって覆われて、最外周に位置するスポットが使用できなくなることを防ぐことができる。
【００３１】
サンプル液収納部スペーサーの材質は特に限定されず、例えば、ガラス、樹脂、金属、ゴム等を挙げることができる。サンプル溶液の漏れを防ぐことが必要なことからゴム等の可撓性を有する材質が好ましく、その中でもシリコンゴムがより好ましい。また、サンプル液収納部に検体を含む液体を供給するために、サンプル収納部スペーサーにはサンプル注入用の貫通口を備えることもできる。
【００３２】
サンプル収納部スペーサー５の厚さは、電気泳動ハイブリダイゼーション反応時間に大きく影響を与える。パッキンの厚さが小さいほどサンプル収納部に存在する検体の全量がバイオチップ貫通孔を通過する時間が短くなる。すなわちハイブリダイゼーション反応時間を短くすることが可能となる。しなしながら、スペーサーの厚さが小さくなりすぎると検体を注入するスペースがなくなったり、パッキンの外側に半透膜６，７を配置する場合に当該半透膜が撓んで、バイオチップと半透膜が接触したりすることがある。このような理由からサンプル収納部スペーサーの厚さはハイブリダイゼーションカートリッジを電気泳動ハイブリダイゼーション装置にセットした状態で０．５ｍｍ〜４ｍｍとすればよい。より好ましくは、１ｍｍ〜３ｍｍである。
【００３３】
（１−３）半透膜
本発明カートリッジは、必要に応じて、サンプル液収納部の両外側に、半透膜（６及び７）を配置することができる。後述するように、電気泳動ハイブリダイゼーション装置を使用する場合には、当該半透膜は必要である。
【００３４】
半透膜６、７は、サンプル液収容部３および４に収容する検体を透過させず、溶媒中の低分子は透過させる膜であり、検出しようとしている検体より小さいカットオフ分子量を示す膜材料が選択される。どのようなメッシュサイズのものを使用するかは、検体の分子量や大きさに応じて適宜選択することができる。例えば、検体の大きさ（分子直径）が２０ｎｍ程度であれば、分子直径の約１／５程度のメッシュサイズの半透膜を用いることが好ましい。
【００３５】
半透膜の材質は限定されず、使用する生体関連物質、生体関連物質を溶解する溶媒の種類に応じて適宜選択される。例えば、ゼラチン膜、アセテート膜、アクリルアミド系やポリビニルアルコール等のハイドロゲル、再生セルロース膜等を使用することができる。機械的強度、取り扱い、入手の容易性等の点で、アセテ−ト膜が好ましい。
【００３６】
（２）電気泳動ハイブリダイゼーション装置
（２−１）バッファー液収納部
本発明の電気泳動ハイブリダイゼーション装置は、上述した半透膜を配置したカートリッジ（すなわち、バイオチップの両側にサンプル液収納部及びサンプル液収納部スペーサーを配置し、当該サンプル液両外側に半透膜を配置したもの）の両外側に、バッファー液収納部を配置する。バッファー液収納部（１０及び１１）は、バッファー液収納部スペーサー１７により仕切られる。
【００３７】
バッファー液収納部の大きさや形状は限定されないが、サンプル液収納部容積より大きいことが好ましい。好ましくは、サンプル液収納部の容積の３倍以上、より好ましくは５倍以上である。多くの量のバッファーを使用することにより、緩衝作用がより大きくなるからである。
【００３８】
バッファー液収納部スペーサーのサイズは、上記バッファー液収納部の大きさ、装置の大きさ等に応じて適宜選択することができる。バッファー液収納部スペーサーの材質は、バッファー液が漏れない限り限定されない。例えば、ガラス、樹脂、金属、ゴム等を挙げることができる。液漏れを防止する観点から、ゴム材料が好ましい。より好ましくはシリコンゴムがよい。
【００３９】
（２−２）電極
バッファー液収容部１０および１１中に、電極１２、１３を配置する。バッファー液収容部を設けることにより、バイオチップ１と電極１２、１３を隔離し、バイオチップが電極近傍のｐＨ変化により劣化したり、反応阻害の影響を受ないようにしたりすることができる。また、電極近傍で発生する気体によって、バイオチップに印加される電場が不均一になることを防止することもできる。
【００４０】
電極１２、１３の大きさ、形状及び配置は、サンプル液収容部３、４とバイオチップ１に均一の電圧を印加することができるものであれば特に限定されない。例えば、棒状、平板上または平板メッシュ状の形態であることが好ましい。電極に用いられる材料としては、グラファイト、白金、金、金属に金メッキした材料が挙げられる。棒状の電極を使用する場合は、バッファー溶液中をバイオチップ１に対して水平方向に設置することが好ましい。
【００４１】
（３）ハイブリダイゼーション
本発明のハイブリダイゼーション方法は、上述した本発明の装置を用いて、電気泳動を利用してプローブと検体とをハイブリダイズさせる。すなわち、電圧を印加することにより、一方のサンプル液収納部から他方のサンプル液収納部へサンプルを移動させ、その際に、検体がバイオチップの貫通孔に固定化されたプローブとハイブリダイズする。
【００４２】
以下、本発明ハイブリダイゼーション装置の模式図（図４）を用いて、ハイブリダイゼーションについて詳述する。
【００４３】
（３−１）サンプル液
測定の対象となるサンプルの調製の方法は限定されず、測定の対象の種類（例えば、ＤＮＡ、ＲＮＡ、タンパク質、脂質、糖類等）に応じて適宜選択することができる。調製した当該サンプルは、以下で述べるバッファー液により希釈して使用することができる。また、サンプルを標識（蛍光、放射線等）して使用することも可能である。検体をバッファー液に溶かすことによってサンプル液を調製する。
【００４４】
得られたサンプル液はサンプル液収納部３若しくは４又はその両方に注入する。３又は４のどちらに入れるかは、得られるサンプルの種類（電荷）や電極（１２、１３）の種類（陽極又は陰極）に応じて適宜選択することができる。サンプル液が注入されないサンプル液収納部には、バッファー液を注入する。
【００４５】
（３−２）バッファー液
本検討に用いるバッファー液の種類としては、ｐＨ緩衝能を有するバッファーであれば限定されない。例えば、一般的に核酸のハイブリダイズ反応に利用される溶液組成が好ましく、ＳＳＣ、ＴＮ、ＴＢＥ溶液、ＴＡＥ溶液等等がより好ましい。バッファー液は、バッファー液収納部１０及び１１に注入する。
【００４６】
（３−３）ハイブリダイゼーション（電圧の印加）
次に、バッファー液収容部１０及び１１に配置された電極１２及び１３のどちらか一方を正極、他方を陰極とし、電圧を印加する。例えば、測定対象となるサンプルがＤＮＡの場合は、ＤＮＡが負に荷電しているため、サンプルは陰極側から正極側に移動することになる。サンプル収納部３に当該サンプル液を入れた場合、電極１１を正極として電圧を印加することにより、サンプルはサンプル収納部３から４へ向かって移動し、バイオチップの貫通孔中に存在するプローブとハイブリダイズすることになる。サンプル液収納部４に移動したサンプルは、半透膜７を通過することができず、そのままサンプル液収納部４にとどまる。
【００４７】
また、本発明の装置では、電極の極性を交互に反転させて電極に電圧を印加することにより、より多くのサンプルがプローブとハイブリダイズすることができる。
【００４８】
このような電気泳動を用いたハイブリダイゼーション方法により、短時間でハイブリダイゼーション反応を進めることができる。
【００４９】
（３−４）洗浄
ハイブリダイゼーション終了後、必要に応じてバイオチップの洗浄を行うことができる。洗浄方法は限定されず、どのような方法を用いても良い。例えば、バイオチップを装置から取り出して、バッファー溶液に浸漬することにより洗浄することもできるし、サンプル収納部３、４に存在するサンプル液を抜き出した後に、新たなバッファー液を充填し、電圧を印加することにより、ハイブリダイゼーション反応に関与しなかった検体を貫通孔から効率良く除去することができる。
【００５０】
（３−５）検体の検出
バイオチップを洗浄した後、標識の種類に応じて検体の検出を行う。蛍光標識をした検体を用いる場合は、蛍光顕微鏡を用いて蛍光検出を行うことにより評価を実施する。蛍光標識以外の方法、化学的な発光、電気化学的な検出なども可能である。
【実施例】
【００５１】
次に、本発明の実施形態を以下の実施例により具体的に説明する。
【００５２】
＜実施例１＞
直径０．３ｍｍの孔が、孔の中心間距離を０．４２ｍｍとして縦横各１２列に合計１４４個配置された厚さ０．１ｍｍの多孔板２枚を重ね、これらの多孔板の各孔に、外径２８０μｍ、内径１８０μｍ、長さ３０ｃｍのカーボンブラック含有ポリカーボネート中空繊維を通過させた。２枚の多孔板の間隔を１００ｍｍとし、糸を張った状態で固定した。
【００５３】
次に、樹脂原料を２枚の多孔板の間に流し込んだ。樹脂としては、ポリウレタン樹脂接着剤（日本ポリウレタン工業株式会社製  ニッポラン４２７６、コロネート４４０３）を使用した。また、この接着剤の総重量に対し、２．５質量％のカーボンブラックを添加した。室温で２４時間静置して樹脂を硬化し中空繊維集束固定物を得た。
【００５４】
次いで、下に示す配合比になるように重合液を調整した。
Ｎ，Ｎ−ジメチルアクリルアミド    ３．６質量部
メチレンビスアクリルアミド        ０．４質量部
水                                  ４８質量部
グリセロール                        ４８質量部
上記重合液に２，２’−アゾビス［２−（２−イミダゾリン−２−イル）プロパン］二硫酸塩（ＶＡ０４４）を０．１質量部添加し、中空繊維集束固定物の中空繊維中に充填した。その後、重合液の温度を５５℃に上昇させて重合を行った。なお、１４４配列全てに以下に示した塩基配列を持つ、６５ベースの核酸プローブＡを重合液に加えて中空繊維内で重合した。
（配列）5’末端- GACCTTACCTGTTCTTGGATTCGACTCACAAGGAGCTAAAAAGGATCTTCCACTTGTGGAGGTGT
そして、ミクロトームにて、繊維軸と直角方向に、厚さ０．２５ｍｍの薄片を切り出し、縦横１５ｍｍ角のバイオチップを得た。このバイオチップにおける貫通孔部の面積は２４ｍｍ２であった。
【００５５】
得られたバイオチップを、図１に示すハイブリダイゼーションカートリッジに取付けた。サンプル液収納部パッキンは１辺６ｍｍ、面積３６ｍｍ２のものを用いた。パッキンセット後のバイオチップと、パッキンの接触部分の面積は３２ｍｍ２であった（サンプル液がバイオチップを接する部分の面積は貫通孔部の面積の１．３３倍）。更に、サンプル収容部４には、プローブＡと相補的に結合する６５ベースのＣｙ５染料で標識された核酸検体を０．５×ＳＳＣ  ０．２％ＳＤＳに溶解して充填した。サンプル収納部３には０．５×ＳＳＣ  ０．２％ＳＤＳバッファー溶液のみ充填した。バッファー液収納部５，６には０．５×ＳＳＣ  ０．２％ＳＤＳバッファー溶液を充填した。
【００５６】
次に、電極に６Ｖの電圧を１０分印加した後、電極を反転し、６Ｖの電圧を１０分印加する操作を、４回繰り返しハイブリダイゼーションを行った。ハイブリダイゼーション終了後、２×ＳＳＣ、０．２％ＳＤＳ溶液中で４０分その後、２×ＳＳＣ溶液中で２０分洗浄をおこなった。その後、蛍光顕微鏡を用いてバイオチップのシグナル強度を測定した。
【００５７】
バイオチップにおける最外周部のシグナル強度の平均値（Ａ）と最外周部を除いた内周部のシグナル強度（Ｂ）の平均値の比（Ａ）／（Ｂ）を測定したところ、１．０６であり６％最外周が高い値となった。しかしながら１０％以下であるこの数値はＤＮＡチップのハイブリダイゼーション測定値において許容できる値であった。
【００５８】
＜比較例１＞
サンプル液収納部のパッキンを1辺７ｍｍ、面積４９ｍｍ２のものを用いた以外は実施例１と同様の方法にて電気泳動ハイブリダイゼーションを行い、その後、蛍光顕微鏡を用いてバイオチップのシグナル強度を測定した。パッキンセット後のバイオチップと、パッキンの接触部分の面積は４３ｍｍ２であった（サンプル溶液がバイオチップを接する部分の面積は貫通孔部の面積の１．７９倍）。
【００５９】
バイオチップにおける最外周部のシグナル強度の平均値（Ａ）と最外周部を除いた内周部のシグナル強度（Ｂ）の平均値の比（Ａ）／（Ｂ）を測定したところ、１．１２（最外周が１２％高い結果）となり、シグナル強度斑が大きい結果となった。
【００６０】
＜比較例２＞
サンプル液収納部のパッキンを1辺５ｍｍ、面積２５ｍｍ２のものを用いた以外は実施例１と同様の方法にて電気泳動ハイブリダイゼーションを行い、その後、蛍光顕微鏡を用いてバイオチップのシグナル強度を測定した。
【００６１】
その結果、パッキンの一部が固定による変形により最外周スポット部分にかかり、測定不可能であるスポットが出た。
【符号の説明】
【００６２】
１          バイオチップ
２          貫通孔
３，４      サンプル液収納部
５          サンプル液収納部パッキン
６，７      半透膜
８          貫通孔部面積
９          バイオチップ
１０，１１  バッファー液収納部
１２，１３  電極
１４        サンプル収納部において、サンプル溶液がバイオチップと接する部分
１５        ハイブリダイゼーション装置の外壁
１６        電源
１７        バッファー液収納部パッキン
【図１】
2012154771.tif 000002
【図２】
2012154771.tif 000003
【図３】
2012154771.tif 000004
【図４】
2012154771.tif 000005